(57)【要約】【課題】施設検索を容易に行うことができる施設検索装置および施設検索システムを提供する。【解決手段】施設情報を番組キーワード情報に対応させて蓄積する施設情報蓄積部４３と、外部から番組情報を取得する番組情報取得部４１と、番組情報取得部で取得された番組情報から番組キーワード情報を抽出する番組キーワード抽出部４２と、キーワード抽出部で抽出された番組キーワード情報に対応する施設情報を施設情報蓄積部から検索する施設情報検索部４４と、施設情報検索部で検索された施設情報を表示する表示部４５とを備えている。【選択図】図４
2007178212.tif 000002
【特許請求の範囲】
【請求項１】
施設情報を番組キーワード情報に対応させて蓄積する施設情報蓄積部と、
外部から番組情報を取得する番組情報取得部と、
前記番組情報取得部で取得された番組情報から番組キーワード情報を抽出する番組キーワード抽出部と、
前記キーワード抽出部で抽出された番組キーワード情報に対応する施設情報を前記施設情報蓄積部から検索する施設情報検索部と、
前記施設情報検索部で検索された施設情報を表示する表示部
とを備えた施設検索装置。
【請求項２】
前記番組キーワード抽出部で抽出される番組キーワード情報は、前記番組情報取得部によって放送から取得された番組情報に含まれる番組名または放送局名である
ことを特徴とする請求項１記載の施設検索装置。
【請求項３】
前記番組キーワード抽出部で抽出される番組キーワード情報は、前記番組情報取得部によってネットワークから取得された番組情報に含まれる放送局名、番組ジャンル、番組名、出演者名、放送年月日・時刻、放送局位置、番組ロケ地名、料理番組での料理人名、出演者の出身地、番組で用いられた食材または番組で紹介された料理名称である
ことを特徴とする請求項１記載の施設検索装置。
【請求項４】
現在位置を検出する位置検出部を備え、
施設情報検索部は、キーワード抽出部で抽出された番組キーワード情報に対応する施設情報であって、前記位置検出部によって検出された現在位置に応じて施設情報を情報蓄積部から検索する
ことを特徴とする請求項１記載の施設検索装置。
【請求項５】
視聴された番組情報を示す視聴履歴情報を取得する視聴履歴情報取得部を備え、
施設情報検索部は、キーワード抽出部で抽出された番組キーワード情報に対応する施設情報であって、前記視聴履歴情報取得部で取得された視聴履歴情報によって示される番組情報に対応する施設情報を施設情報蓄積部から検索する
ことを特徴とする請求項１記載の施設検索装置。
【請求項６】
視聴された番組情報を示す視聴履歴情報を取得する視聴率情報取得部を備え、
施設情報検索部は、キーワード抽出部で抽出された番組キーワード情報に対応する施設情報であって、前記視聴率情報取得部で取得された視聴率情報によって示される視聴率が高い番組情報に対応する施設情報を施設情報蓄積部から検索する
ことを特徴とする請求項１記載の施設検索装置。
【請求項７】
施設情報蓄積部に蓄積されている施設情報に対する評価を示すランキング情報を取得するランキング情報取得部を備え、
施設情報検索部は、キーワード抽出部で抽出された番組キーワード情報に対応する施設情報であって、前記ランキング情報取得部で取得されたランキング情報によって示されるランキングが高い番組情報に対応する施設情報を前記施設情報蓄積部から検索する
ことを特徴とする請求項１記載の施設検索装置。
【請求項８】
現在の時刻を取得する時刻取得部を備え、
施設情報検索部は、キーワード抽出部で抽出された番組キーワード情報に対応する施設情報であって、前記時刻取得部で取得された時刻に利用できる施設の施設情報を施設情報蓄積部から検索する
ことを特徴とする請求項１記載の施設検索装置。
【請求項９】
目的地または経由地へのルート探索するルート探索部を備え、
施設情報検索部は、キーワード抽出部で抽出された番組キーワード情報に対応する施設情報であって、前記ルート探索部で探索されたルート情報に応じて施設情報を施設情報蓄積部から検索する
ことを特徴とする請求項１記載の施設検索装置。
【請求項１０】
施設情報蓄積部に蓄積されている施設情報と該施設情報に対応する番組キーワード情報とを同時に更新する施設情報更新部
を備えたことを特徴とする請求項１記載の施設検索装置。
【請求項１１】
番組情報取得部は、放送を受信中の放送受信装置から番組情報を取得する
ことを特徴とする請求項１記載の施設検索装置。
【請求項１２】
番組情報取得部によって取得された番組情報に応じて、施設情報蓄積部に蓄積されている施設情報を更新する施設情報更新部
を備えたことを特徴とする請求項１記載の施設検索装置。
【請求項１３】
放送受信装置は、番組を検索するための番組検索情報を提供し、
番組情報取得部は、放送受信装置において提供される番組検索情報に基づき番組情報を取得する
ことを特徴とする請求項１１記載の施設検索装置。
【請求項１４】
施設情報を番組キーワード情報に対応させて施設情報蓄積部に蓄積するステップと、
外部から番組情報を取得するステップと、
該取得された番組情報から番組キーワード情報を抽出するステップと、
該抽出された番組キーワード情報に対応する施設情報を前記施設情報蓄積部から検索するステップと、
該検索された施設情報を表示するステップ
とを備えた施設検索方法。
【請求項１５】
番組情報を取得するステップは、
放送される番組および時間帯を示す番組表を表示するステップと、
該表示された番組表から番組を選択するステップと、
該選択された番組の番組情報を取得するステップ
とを備えたこと特徴とする請求項１４記載の施設検索方法。
【請求項１６】
番組情報を取得するステップは、
放送局、曜日、放送月日、放送時間、出演者、番組ジヤンル、番組名または番組を検索するための番組検索情報に基づき番組を検索するステップと、
該検索された番組から番組情報を取得するステップ
とを備えたこと特徴とする請求項１４記載の施設検索方法。
【発明の詳細な説明】
【技術分野】
【０００１】
この発明は、施設を検索する施設検索装置および施設検索方法に関し、特に番組情報から施設を検索する技術に関する。
【背景技術】
【０００２】
近年、地上デジタル放送の開始に伴って、自動車にも地上デジタル放送用の受信機が搭載されるようになってきている。地上デジタル放送では、映像および音声をデジタル放送によって放送する他に、番組情報、ニュース、天気予報等といった付加情報をデータ放送によって放送できることから、地上デジタル放送受信機で受信された付加情報を、カーナビゲーション装置等で利用するシステムが考えられている。
【０００３】
このようなシステムの１つとして、地上デジタル放送受信機で受信された施設に関する情報（施設情報）をカーナビゲーション装置に備えられた施設データベースから検索して目的地や経由地として設定する機能を有するシステムが開発されている。このシステムでは、番組やコマーシャルメッセージ（ＣＭ）で紹介された施設を目的地として設定することができる。
【０００４】
例えば、特許文献１は、放送受信機で施設名を受信し、施設名で施設を検索する施設情報報知装置およびナビゲーション装置を開示している。この特許文献１に開示された施設情報報知装置では、デジタルテレビジョン放送の所定チャンネルに多重されて放送される施設情報が、受信ユニットのアンテナにて受信され、復調部にてデジタルデータに復調され、映像データ・音声データ・検索データとしてナビゲーションユニットへ送られる。ナビゲーションユニットでは、これらのデータをメモリに格納しておき、施設情報中の検索データに基づき、設定された検索条件を満たす施設を検索する。そして、検索条件を満たす施設の映像および音声を、映像データおよび音声データに基づいて、ディスプレイおよびスピーカからそれぞれ出力する。
【０００５】
また、特許文献２は、放送受信機で施設ジャンルやフランチャイズ店名を受信し、施設検索を行うナビゲーション装置、地点情報の表示方法およびプログラムを開示している。この特許文献２に開示されたナビゲーション装置は、放送されたコンテンツを受信する放送受信部と、放送受信部から取得したコンテンツから、このコンテンツに関連する位置情報を抽出する制御部と、抽出された位置情報をコンテンツに連動させて地図画像上に表示する表示部とを備えている。放送受信部は、デジタル放送受信部にて電波を受信し、データデコーダで文字列情報に復号化する。文字列情報は、マッチング処理部で、地図情報データの位置情報に関連付けられた所定のキーワードを格納したキーワード辞書との間でマッチング処理される。文字列情報に含まれたキーワードが検出されると、ナビゲーション処理部は、キーワードから特定される位置情報を検索し、検出された位置情報を表示部に表示する。
【０００６】
また、特許文献３は、放送受信機側で施設ジャンルを受信し、施設ジャンルで施設を検索するデジタル放送の情報データ活用システムおよびこれに用いるデジタル放送受信装置、情報データ取得方法を開示している。この特許文献３に開示されたデジタル放送の情報データ活用システムでは、ユーザが所望するキーワードを優先順位メモリに登録しておき、受信したデジタル放送の中から上記キーワードが含まれている情報データを取得し、取得した情報データ中に含まれている位置情報から別システム（例えばナビゲーション装置）で利用可能な形態の第２の位置情報を求めて、これを情報データと共に受信データメモリに記憶する。これにより、ユーザが取得希望の情報データに関連する任意のキーワードを入力しておくだけで、そのような情報データをデジタル放送中から自動的に入手することができ、また、第２の位置情報と共に受信データメモリに記憶された情報データを別システムで有効に活用することができる。
【０００７】
【特許文献１】特開２００２−４８５５６号公報
【特許文献２】特開２００３−２６９９６９号公報
【特許文献３】特開２００３−２１８７１８号公報
【発明の開示】
【発明が解決しようとする課題】
【０００８】
しかしながら、上述した特許文献１〜３に開示されたナビゲーション装置等では、いずれも、放送局側で施設に直接関係する情報を付加情報として放送する必要があり、放送局にとっては放送の送信コストアップに繋がるだけでなく、受信側にとっても、走行している付近の施設情報が放送されてくる機会は非常に少ないので、施設検索機能を利用しにくいという問題がある。
【０００９】
この発明は、上述した問題を解決するためになされたものであり、その課題は、放送局における放送の送信コストアップを抑制でき、また、受信側では施設検索を容易に行うことができる施設検索装置および施設検索システムを提供することにある。
【課題を解決するための手段】
【００１０】
上記課題を解決するために、この発明に係る施設検索装置は、施設情報を番組キーワード情報に対応させて蓄積する施設情報蓄積部と、外部から番組情報を取得する番組情報取得部と、番組情報取得部で取得された番組情報から番組キーワード情報を抽出する番組キーワード抽出部と、キーワード抽出部で抽出された番組キーワード情報に対応する施設情報を施設情報蓄積部から検索する施設情報検索部と、施設情報検索部で検索された施設情報を表示する表示部とを備えている。
【００１１】
また、この発明に係る施設検索方法は、施設情報を番組キーワード情報に対応させて施設情報蓄積部に蓄積するステップと、外部から番組情報を取得するステップと、該取得された番組情報から番組キーワード情報を抽出するステップと、該抽出された番組キーワード情報に対応する施設情報を施設情報蓄積部から検索するステップと、該検索された施設情報を表示するステップとを備えている。
【発明の効果】
【００１２】
この発明に係る施設検索装置および施設検索方法によれば、放送局で送信する番組情報に必ず含まれる、例えば番組名や放送局名等の番組キーワード情報を用い、番組キーワードと施設情報を対応させた施設情報蓄積部から施設検索を行うように構成したので、受信側において施設検索が容易になる。
【発明を実施するための最良の形態】
【００１３】
以下、この発明の実施の形態を、図面を参照しながら詳細に説明する。
実施の形態１．
この発明の実施の形態１に係る施設検索装置は、現在視聴している番組において紹介された施設を検索するようにしたものである。以下では、この発明の施設検索装置として、カーナビゲーション装置が使用される場合を例に挙げて説明する。
【００１４】
図１は、この発明の施設検索装置が適用された施設検索システムの構成を示す図である。この施設検索システムは、デジタル放送受信装置１と施設検索装置としてのカーナビゲーション装置２とから構成されており、これらの間はシリアルケーブル３で接続されている。なお、デジタル放送受信装置１とカーナビゲーション装置２との間は、シリアルケーブル３に限らず、例えば無線通信によって接続することもできるし、デジタル放送受信装置１とカーナビゲーション装置２とが一体に構成されている場合は、内部の電子回路によって接続することができる。
【００１５】
この施設検索システムにおいては、カーナビゲーション装置２は、デジタル放送受信装置１が受信した番組情報、つまりユーザが視聴している番組の番組情報を取得し、この取得した番組情報に基づき施設検索を実施する。
【００１６】
図２は、デジタル放送受信装置１の構成を示すブロック図である。このデジタル放送受信装置１は、アンテナ部１１、チューナ部１２、デコーダ部１３、映像出力部１４、音声出力部１５、入力部１６、中央制御部１７、メニュー生成部１８およびカーナビゲーション装置インタフェース部（以下、「カーナビインタフェース部」と略する）１９から構成されている。
【００１７】
アンテナ部１１は、デジタル放送によるテレビ放送波を受信して電気信号に変換し、この変換により得られた電気信号をテレビ放送信号としてチューナ部１２に送る。チューナ部１２は、中央制御部１７から送られてくるチャンネル制御信号に応じて、アンテナ部１１から送られてくるテレビ放送信号に対して高周波信号処理、復調処理などを行うことによりＭＰＥＧ（Moving Picture Experts Group）データを生成し、デコーダ部１３に送る。
【００１８】
デコーダ部１３は、チューナ部１２から送られてくるＭＰＥＧデータに対して多重分離処理を行うことにより、該ＭＰＥＧデータを、ＭＰＥＧ映像データ、ＭＰＥＧ音声データおよびＭＰＥＧ付加データに分離する。そして、デコーダ部１３は、分離されたＭＰＥＧ映像データに対してＭＰＥＧ復号処理を行って映像データを生成し、映像出力部１４に送る。また、デコーダ部１３は、分離された音声データに対してＭＰＥＧ復号処理を行って音声データを生成し、音声出力部１５に送る。さらに、デコーダ部１３は、分離されたＭＰＥＧ付加データを中央制御部１７に送る。ここで、ＭＰＥＧ付加データは、デジタル放送におけるデータ放送によって放送されるデータである。
【００１９】
映像出カ部１４は、デコーダ部１３から受け取った映像データおよびメニュー生成部１８から受け取ったメニューデータに基づき映像信号を生成し、図示しないディスプレイに送る。これにより、該ディスプレイにデジタル放送の映像が表示される。なお、ディスプレイとしては、カーナビゲーション装置２のディスプレイ２７（図３参照）を用いることができる。音声出力部１５は、デコーダ部１３から受け取った音声データに基づき音声信号を生成し、図示しないスピーカに送る。これにより、該スピーカからデジタル放送の音声が出力される。なお、スピーカとしては、カーナビゲーション装置２の周辺機器３１（図３参照）に含まれるスピーカを用いることができる。
【００２０】
入カ部１６は、例えば、図示しないリモートコントローラ（以下、「リモコン」と略する）から送られてくる信号を受信し、入力情報として中央制御部１７に送る。中央制御部１７は、このデジタル放送受信装置１を構成する各要素を制御することにより、デジタル放送受信機能を実現するための各種処理を行う。この中央制御部１７で行われる処理の詳細については後述する。メニュー生成部１８は、中央制御部１７から送られてくるメニュー情報からメニューデータを生成し、映像出力部１４に送る。カーナビインタフェース部１９は、デジタル放送受信装置１とカーナビゲーション装置２との間で行われるデータの送受を制御する。
【００２１】
図３は、カーナビゲーション装置２のハードウェア構成を示すブロック図である。このカーナビゲーション装置２は、ＲＯＭ２１、ＣＰＵ２２、ＲＡＭ２３、外部記憶装置ドライブ２４、外部記憶メディア２５、外部記憶装置インタフェース２６、ディスプレイ２７、グラフィック制御回路２８、ユーザ操作部２９、操作部インタフェース３０、周辺機器３１および周辺機器インタフェース３２から構成されている。
【００２２】
ＲＯＭ２１は、カーナビゲーションプログラムや施設検索プログラムを記憶する。ＣＰＵ２２は、ＲＯＭ２１からカーナビゲーションプログラムや施設検索プログラムを読み出して実行する。ＲＡＭ２３は、ＣＰＵ２１によってカーナビゲーションプログラムや施設検索プログラムが実行される時に、これらのプログラムやデータを一時的に記憶する。外部記憶装置ドライブ２４は、外部記憶メディア２５からデータを読み出して外部記憶装置インタフェース２６に送る。外部記憶メディア２５は、例えばＤＶＤ−ＲＯＭ（Digital Versatile Disk ROM）、ＣＤ−ＲＯＭ（Compact Disk ROM）、ＨＤＤ（Hard Disk Drive）などから構成されており、地図データベースや施設データベースを記憶する。外部記憶装置インタフェース２６は、ＣＰＵ２１と外部記憶装置ドライブ２４との間におけるデータの送受を制御する。
【００２３】
ディスプレイ２７は、例えばＬＣＤ（Liquid Crystal Display）から構成されており、グラフィック制御回路２８から送られてくる表示データに従った画像を表示する。グラフィック制御回路２８は、ＣＰＵ２１から送られてくる描画命令に従ってディスプレイ７に画像を描画する。ユーザ操作部２９は、例えばリモコンや各種スイッチ、タッチパネル等から構成されている。このユーザ操作部２９が操作されることにより発生された操作データは、操作部インタフェース３０に送られる。操作部インタフェース３０は、ＣＰＵ２１とユーザ操作部２９との間におけるデータの送受を制御する。
【００２４】
周辺機器３１は、例えばＧＰＳ（Global Positioning System）受信機、ジャイロ、車速センサ、スピーカ、デジタル放送受信装置１と通信を行うための通信制御装置などから構成されている。この周辺機器３１とＣＰＵ２２との間のデータの送受は周辺機器インタフェース３２を経由して行われる。周辺機器インタフェース３２は、周辺機器３１とＣＰＵ２１との間におけるデータの送受を制御する。
【００２５】
上記のように構成されるカーナビゲーション装置２の基本的な動作は、従来のカーナビゲーション装置の動作と同じであるので説明を省略し、以下では、この発明の特徴である施設情報検索処理を中心に説明する。
【００２６】
図４は、カーナビゲーション装置２によって構成される施設検索装置の機能的な構成を示すブロック図である。この施設検索装置は、ＤＴＶ（Digital TeleVision）インタフェース部４１、番組キーワード抽出部４２、施設情報蓄積部４３、施設情報検索部４４および表示部４５から構成されている。
【００２７】
ＤＴＶインタフェース部４１は、この発明の番組情報取得部、視聴履歴情報取得部、視聴率情報取得部およびランキング情報取得部に対応し、デジタル放送受信装置１から番組情報を受信し、番組キーワード抽出部４２に送る。ＤＴＶインタフェース部４１は、周辺機器３１に含まれる通信制御装置、周辺機器インタフェース３２およびＣＰＵ２２の処理プログラムにより構成されている。番組キーワード抽出部４２は、ＣＰＵ２２の処理プログラムにより構成されており、デジタル放送受信装置１からＤＴＶインタフェース部４１を介して送られてくる番組情報から番組キーワード情報を抽出し、施設情報検索部４４に送る。
【００２８】
施設情報蓄積部４３は、外部記憶メディア２５によって構成されており、施設情報に番組キーワード情報を対応させて蓄積した施設データベース（詳細は後述する）を記憶する。この施設情報蓄積部４３の内容は施設情報検索部４４によって参照されるとともに更新される。施設情報検索部４４は、ＣＰＵ２２の処理プログラムにより構成されており、番組キーワード抽出部４２から送られてきた番組キーワード情報に対応する施設情報を、施設情報蓄積部４３から検索し、この検索によって得られた施設情報を表示部４５に送る。表示部４５は、ディスプレイ２７、グラフィック制御回路２８およびＣＰＵ２２の処理プログラムにより構成されており、施設情報検索部４４から送られてくる施設情報を表示する。
【００２９】
次に、上記のように構成される施設検索システムの動作を説明する。まず、デジタル放送受信装置１の動作を説明する。なお、以下では、デジタル放送受信装置１で行われる処理のうち、この発明に関係するデジタル放送受信処理および番組情報取得処理を中心に説明する。
【００３０】
（１−１）デジタル放送受信処理
アンテナ部１１は、デジタル放送によるテレビ放送波を受信し、テレビ放送信号としてチューナ部１２に送る。チューナ部１２は、受け取ったテレビ放送信号に対して信号処理を行ってＭＰＥＧデータを生成し、デコーダ部１３に送る。デコーダ部１３は受け取ったＭＰＥＧデータから多重分離処理を行ってＭＰＥＧ映像データ、ＭＰＥＧ音声データおよびＭＰＥＧ付加データに分離し、さらに、ＭＰＥＧ映像データおよびＭＰＥＧ音声データに対してＭＰＥＧ復号処理を行い、映像データおよび音声データとして、それぞれ映像出力部１４および音声出カ部１５に送るとともに、ＭＰＥＧ付加データを中央制御部１７に送る。
【００３１】
中央制御部１７は、チューナ部１２に対して受信する周波数のチャンネル制御を行うとともに、デコーダ部１３から受け取ったＭＰＥＧ付加データからメニュー情報を生成し、メニュー生成部１８に送る。メニュー生成部１８は、受信したメニュー情報からメニューデータを生成し、映像出力部１４に送る。映像出力部１４は、デコーダ部１３から受け取った映像データおよびメニュー生成部１８から受信したメニューデータを映像信号に変換する。また、音声出力部１５は、デコーダ部１３から受け取った音声データを音声信号に変換する。なお、以上のデジタル放送受信処理は、現在の家庭用のデジタル放送受信装置で行われる処理と同様である。
【００３２】
（１−２）番組情報取得処理
放送中の番組に付けられている番組名等を含んだ番組情報は、上述したデジタル放送受信処理においてＭＰＥＧデータから分離されたＭＰＥＧ付加データ中に番組配列情報として含まれている。したがって、中央制御部１７は、デジタル放送受信処理におけるメニュー情報の生成時に番組配列情報を取得することができる。中央制御部１７は、所定時間毎に、取得した番組配列情報を、カーナビインタフェース部１９を介して、カーナビゲーション装置２に送信する処理を行う。なお、番組配列情報は、“標準規格「デジタル放送に使用する番組配列情報」ＡＲＩＢ  ＳＴＤ−Ｂ１０  ３．８版（杜）電波産業会”に規定されているので必要に応じて参照されたい。
【００３３】
次に、カーナビゲーション装置２の動作を説明する。なお、以下では、カーナビゲーション装置２で行われる処理のうち、この発明に関係する施設情報検索処理を中心に説明する。施設情報検索処理は、番組キーワード情報を抽出する番組キーワード情報抽出処理と、番組キーワード情報を用いた施設情報検索処理とに分けることができる。
【００３４】
（１−３）番組キーワード情報の抽出処理
図５は、番組キーワード情報抽出処理を示すフローチャートである。この番組キーワード情報抽出処理は、番組キーワード抽出部４２によって行われる。番組キーワード情報抽出処理では、まず、スタートフラグが初期化される（ステップＳＴ１１）。すなわち、スタートフラグｎが「０」に設定される。次いで、デジタル放送受信装置１からＤＴＶインタフェース部４１を介して番組配列情報が受信される（ステップＳＴ１２）。次いで、ステップＳＴ１２で受信された番組配列情報から番組名が抽出される（ステップＳＴ１３）。
【００３５】
次いで、スタートフラグｎが「０」であるかどうかが調べられる（ステップＳＴ１４）。このステップＳＴ１４において、スタートフラグｎが「０」であることが判断されると、スタートフラグｎが「１」に設定される（ステップＳＴ１５）。その後、シーケンスはステップＳＴ１７に進む。一方、ステップＳＴ１４において、スタートフラグｎが「０」でない、つまり「１」であることが判断されると、次いで、ステップＳＴ１３で読み出された番組名が、前回に読み出されて一時記憶されている番組名と一致するかどうかが調べられる（ステップＳＴ１６）。このステップＳＴ１６において、一致することが判断されると、同じ番組の視聴が継続されている旨が認識され、シーケンスはステップＳＴ１２に戻って上述した処理が繰り返される。一方、ステップＳＴ１６において、一致しないことが判断されると、視聴中の番組が変更された旨が認識され、シーケンスはステップＳＴ１７に進む。
【００３６】
ステップＳＴ１７においては、一時記憶されている番組名の更新が行われる。すなわち、ステップＳＴ１３で抽出された番組名が新たに一時記憶される。次いで、番組名が番組キーワード情報として施設情報検索部４４に送られる（ステップＳＴ１８）。その後、シーケンスはステップＳＴ１２に戻り、上述した処理が繰り返される。なお、番組情報から番組名を読み出す処理は、現在のデジタル放送受信装置において番組名を表示する際に行われる処理と同じであり、詳細な説明は省略する。以上の処理により、視聴中の番組が変更される都度、番組情報が施設情報検索部４４に送られる機能が実現されている。
【００３７】
（１−４）施設情報検索処理
施設情報蓄積部４３には、上述したように施設データベースが記憶されている。施設データベースは、図６に示すような木構造を有し、番組名レイヤに記述された番組名と、その下層の施設情報レイヤに記述された施設情報とがリンクしている。なお、木構造によるデータは、長男次弟表現と呼ばれるデータ表現形式で記述されているものとする。また、番組名にリンクしている施設情報は、番組名の番組で紹介された施設に関する情報である。
【００３８】
図７は、施設情報検索処理を示すフローチャートである。この施設情報検索処理は、施設情報検索部４４によって行われる。施設情報検索処理では、まず、番組キーワード情報が取得される（ステップＳＴ２１）。すなわち、施設情報検索部４４は、番組キーワード抽出部４２から、番組キーワード情報を受け取る。次いで、番組名レイヤでの番組名検索が行われる（ステップＳＴ２２）。すなわち、施設情報検索部４４は、番組キーワード情報に対応する番組名を番組名レイヤから検索する。
【００３９】
次いで、ステップＳＴ２２における検索の結果、該当するノード（番組名）が存在するかどうかが調べられる（ステップＳＴ２３）。このステップＳＴ２３において、該当するノードが存在しないことが判断されると、検索結果として「検索失敗」のメッセージが表示部４５に送られる（ステップＳＴ２７）。ステップＳＴ２３において、該当するノードが存在することが判断されると、次いで、施設情報レイヤで施設検索が行われる（ステップＳＴ２４）。
【００４０】
次いで、ステップＳＴ２４における検索の結果、該当するノード（施設情報）が存在するかどうかが調べられる（ステップＳＴ２５）。このステップＳＴ２５において、該当するノードが存在しないことが判断されると、シーケンスはステップＳＴ２７に進み、検索結果として「検索失敗」が表示部４５に送信される。一方、ステップＳＴ２５において、該当するノードが存在することが判断されると、検索結果として「施設候補」のメッセージが表示部４５に送られる（ステップＳＴ２６）。
【００４１】
なお、上述した施設情報検索処理において、施設検索の結果として複数の施設情報が得られた場合は、複数の施設情報を表示部４５に送り、複数の候補として表示させるように構成することができる。この構成の場合、さらに表示部４５に表示された複数の侯補の中から所望の施設を、例えばユーザ操作部２９からの入力によって、ユーザに選択させるように構成することができる。
【００４２】
また、図６に示した構造を有する施設データベースでは、１つのノード（番組名）にぶら下がっている施設情報の数が膨大になるので、例えば、番組名レイヤと施設情報レイヤとの間に都道府県名レイヤや施設のジャンル名レイヤなどといった中間のレイヤを設け、これら中間のレイヤによって絞り込まれた範囲で番組名による施設情報の検索を行うように構成することもできる。
【００４３】
以上説明したように、この発明の実施の形態１に係る施設検索装置によれば、放送中の番組の番組情報、例えば番組名を使って、つまり、施設名や施設ジャンルといった施設情報とは直接関係しないキーワードを用いて施設を検索すること可能となる。例えば、カーナビゲーション装置２にデジタル放送受信装置１を接続し、デジタル放送受信装置で視聴中の番組の番組名をキーワードとして施設情報を検索することにより、過去にその番組で紹介されて、施設情報蓄積部４３に蓄積されている施設の施設情報を検索することが可能となる。
【００４４】
なお、上述した実施の形態１では、番組情報（番組配列情報）に含まれている「番組名」を番組キーワード情報として用いたが、この番組情報（番組配列情報）に含まれている他の情報である「放送局名」を番組キーワード情報として用いるように構成することもできる。
【００４５】
また、上述した実施の形態１では、番組情報を取得する方法として、カーナビゲーション装置２に接続されたデジタル放送受信装置１から番組情報を取得するように構成したが、携帯電話や無線ＬＡＮといった通信手段を介してインターネットに接続し、インターネット上のサーバから視聴中の番組の番組情報を取得するように構成することもできる。この場合、携帯電話や無線ＬＡＮ制御装置は周辺機器３１として設けられ、これら携帯電話や無線ＬＡＮ制御装置は、この発明の番組情報取得部として機能する。
【００４６】
この構成によれば、アナログＴＶチューナを搭載したカーナビゲーション装置であっても、施設検索を行うことができる。また、番組情報は、上述したＡＲＩＢの規格にしたがったものである必要がないので、サーバ側で自由に設定することも可能であり、放送局名、番組名の他、番組ジャンル、出演者名、放送年月日・時刻、放送局位置、番組ロケ位置、出演者の出身地、料理番組での料理人名、料理番組で用いられた食材、料理番組で採用された料理名などを用いることができる。さらに、検索された施設情報をユーザに提示する際に、番組で紹介された時の映像や画像へのリンク、例えば施設情報内に記述されたＵＲＬやファイルパスを使用して、メニューの内容などを提示するように構成することもできる。
【００４７】
また、上述した実施の形態１に係る施設検索装置が適用された施設検索システムでは、デジタルテレビ放送を受信するデジタル放送受信機１から番組情報を取得するように構成したが、デジタル放送受信機１の代わりに、モバイル放送を受信するモバイル放送受信端末、デジタルラジオ放送を受信するデジタルラジオ放送受信機またはワンセグ放送受信機能が搭載された携帯電話などを用いることができる。
【００４８】
実施の形態２．
実施の形態１では、ユーザが視聴中の番組の番組情報を取得して、施設検索のキーワードとして用いるように構成したが、実施の形態２では、ユーザがデジタル放送受信装置において番組を検索するために用いられる番組表や番組検索メニューから番組情報を取得して、施設検索のキーワードに用いるように構成したものである。番組表および番組検索メニューは、この発明の番組検索情報に対応する。
【００４９】
この発明の実施の形態２に係る施設検索システムの構成は、図１に示した実施の形態１に係る施設検索システムの構成と同じである。
【００５０】
図８は、デジタル放送受信装置１が受信するデジタル放送で提供される番組表の一例を示す図である。番組表は、図８（ａ）に示すように、放送局毎の複数の番組名と放送時間帯（図示は省略する）とから構成されている。ユーザが、番組表から１つの番組名（例えば「旅」）を選択することにより、図８（ｂ）に示すように、選択された番組名の番組の詳細と施設検索ボタンを含む画面が表示される。図８（ｂ）に示すような画面で、ユーザが施設検索ボタンを押下することにより、その時点で表示されている番組名が番組情報としてカーナビゲーション装置２に送られる。
【００５１】
図９は、デジタル放送受信装置１が受信するデジタル放送で提供される番組検索メニューの一例を示す図である。番組検索では、まず、図９（ａ）に示すような放送局名で番組を検索するためのメニューが表示される。ユーザが、このメニューの中から１つの放送局を選択すると、図９（ｂ）に示すような複数の番組名と放送時間帯（図示は省略する）とから成る番組リストが表示される。ユーザが、この番組リストの中から１つの番組名を選択すると、図９（ｃ）に示すように、その番組名の番組の詳細および施設検索ボタンを含む画面が表示される。図９（ｃ）に示すような画面で、ユーザが施設検索ボタンを押下することにより、その時点で表示されている番組名が番組情報としてカーナビゲーション装置２に送られる。
【００５２】
なお、デジタル放送受信装置１における番組表や番組検索メニューの操作、例えば放送局名や番組名の選択などは、リモコンやタッチパネルによって行うように構成することができる。
【００５３】
次に、実施の形態２に係る施設検索装置におけるカーナビゲーション装置２とデジタル放送受信装置１の動作を、図１０に示すシーケンス図および図１１に示す画面遷移図を参照しながら説明する。初期状態において、カーナビゲーション装置２の表示部４５は、デジタル放送受信装置１の出力を表示するように設定されているものとする。
【００５４】
カーナビゲーション装置２の表示部４５がデジタル放送受信装置１の出力を表示するように設定されている状態において、デジタル放送受信装置１では、まず、ユーザが所定の操作を行うことにより放送されている番組が表示される（ステップＳＴ３１）。この状態で、ユーザが番組表ボタンまたは番組検索ボタン（いずれも図示を省略する）を押下すると、図１１（ａ）に示すように、番組表の画面または番組検索メニューの画面が表示される（ステップＳＴ３２）。
【００５５】
この番組表の画面が表示された状態において、ユーザが所望の放送局の番組名を選択すると、または、番組検索メニューの画面が表示されている状態において、ユーザが所望の放送局を選択した後に表示される番組リストから所望の番組名を選択すると、図１１（ｂ）に示すように、番組の詳細情報の画面が表示される（ステップＳＴ３３）。この番組の詳細情報が表示されている画面で、ユーザが施設検索ボタンを押下すると、表示されている番組名が番組情報としてカーナビゲーション装置２に送信される（ステップＳＴ３４）。
【００５６】
カーナビゲーション装置２では、デジタル放送受信装置１から受信した番組情報に含まれる番組名から施設が検索される（ステップＳＴ４１）。次いで、カーナビゲーション装置２の表示部４５の表示は、デジタル放送受信装置１の出力からカーナビゲーション装置２の出力に切り替えられる（ステップＳＴ４２）。次いで、ステップＳＴ４１で取得された番組名で施設検索した結果が表示される（ステップＳＴ４３）。
【００５７】
以上説明したように、この実施の形態２によれば、番組表や番組検索メニューから直接に施設検索を行うことが可能になる。また、番組検索から施設検索といったリレーションを確立できる。
【００５８】
なお、上述した実施の形態２では、番組を検索するための番組検索メニューでは、放送局名や番組のジャンルから検索するようにしているが、番組情報内に記載されている番組内容のキーワードをユーザが入カして検索するように構成することができる。ここで入力されるキーワードは、この発明の番組検索情報に対応する。この構成によれば、例えば、番組内容に「クリスマス特集」や「温泉特集」といった記載がなされていれば、ユーザが入カする「クリスマス」や「温泉」といったキーワードによって施設を検索することが可能である。また、「クリスマス」や「お正月」といったキーワードを、現在日時から推定して自動的に検索するように構成することもできる。この構成によれば、特集に応じた施設を検索することが可能となる。
【００５９】
また、上述した実施の形態２では、施設検索の結果は、カーナビゲーション装置２の表示部４５に出力される施設検索メニューで表示するようにしているが、施設検索結果を、施設情報のリスト形式にしてカーナビゲーション装置２からデジタル放送受信装置１に送信し、デジタル放送受信装置１において施設検索メニューを表示するように構成することができる。この場合、デジタル放送受信装置１に表示された施設検索メニュー上でユーザが選択した施設の施設情報を、カーナビゲーション装置２に送信することにより、その施設をカーナビゲーション装置２の目的地や経由地に設定することができる。
【００６０】
また、携帯電話や無線ＬＡＮといった通信手段を介してインターネットに接続し、インターネット上のサーバから視聴中の番組の番組情報を取得するように構成することもできる。この構成によれば、番組情報は、上述したＡＲＩＢの規格にしたがったものである必要がないので、番組情報として、上述した番組検索情報の他に、サーバ側で自由に設定することも可能であり、放送局、曜日、放送月日、放送時間、出演者、番組ジヤンル、番組名などを用いることができる。
【００６１】
実施の形態３．
上述した実施の形態１および実施の形態２では、施設検索の結果を単に出力するように構成したが、実施の形態３では、ユーザの視聴履歴を蓄積しておき、ユーザが実際に視聴した番組で紹介された施設を優先的に出力するようにしたものである。
【００６２】
（２−１）デジタル放送受信装置
図１２は、実施の形態３に係る施設検索装置に接続されるデジタル放送受信装置１の構成を示すブロック図である。このデジタル放送受信装置１は、実施の形態１のデジタル放送受信装置に、視聴履歴蓄積部２０が追加されて構成されている。
【００６３】
視聴履歴蓄積部２０は、例えば不揮発メモリやハードディスクといった記録媒体から構成されており、視聴履歴情報をリスト形式で蓄積する。視聴履歴情報は、図１３にそのフォーマットを示すように、ユーザが視聴した番組名と放送日とを対にした情報から構成されている。視聴履歴情報は、ユーザが番組を視聴する毎に、リストの最後に追加する方法で蓄積される。
【００６４】
中央制御部１７は、実施の形態１に係るデジタル放送受信装置１によって行われる処理の他に、視聴履歴蓄積処理を行う。すなわち、中央制御部１７は、現在視聴している番組（番組情報はチューナ部１２から受信する）が、あらかじめ設定された時間以上視聴されたこと、つまり入力部１６からチャンネル変更がなされなかったことにより「視聴履歴あり」と判定する。そして、中央制御部１７は、「視聴履歴あり」と判定した番組の番組名と放送日とを視聴履歴蓄積部２０に送る。なお、視聴の有無の判断に使用する時間（上記の「あらかじめ設定された時間」）は、図示しない設定メニュー等によって変更することができる。
【００６５】
また、中央制御部１７は、番組名をカーナビゲーション装置２に送信するタイミングで、視聴履歴蓄積部２０に蓄積されている視聴履歴情報から、図１４に示すような、送信する番組名に応じた視聴履歴情報を再構成し、番組名と一緒にカーナビゲーション装置２に送信する処理を行う。
【００６６】
（２−２）カーナビゲーション装置
カーナビゲーション装置２の機能的な構成は、図４に示した実施の形態１のそれと同じである。また、施設情報蓄積部４３に形成された施設データベースに蓄積される施設情報には、図１５に示すように、実施の形態１または実施の形態２における施設情報に、施設が紹介された番組が放映された年月日（放送年月日）が追加されて蓄積される。
【００６７】
施設情報検索部４４で行われる施設情報検索処理では、実施の形態１の施設情報検索処理に追加して、以下の視聴履歴によるフィルタリング処理が実施される。すなわち、施設情報検索部４４は、施設データベースから検索した施設情報の放送年月日が、デジタル放送受信装置１から受信した視聴履歴情報に記載された放送日と一致するかどうかをチェックし、これらが一致する場合に、その施設情報を検索結果として出力する処理を行う。
【００６８】
以上説明したように、この実施の形態３によれば、ユーザがよく視聴する番組で紹介された施設を優先的に検索することが可能となる。また、ユーザが実際に視聴した番組で紹介された施設を検索し、推奨することも可能である。
【００６９】
なお、上述した実施の形態３では、視聴履歴をカーナビゲーション装置２に接続されたデジタル放送受信装置１で蓄積するように構成しているが、他の放送受信装置、例えば家庭用テレビ等で蓄積し、蓄積した視聴履歴をＳＤメモリカード（Secure Digital memory card）やＣＦ（Compact Flash）カードといった記録媒体や無線ＬＡＮ等の通信手段を経由してカーナビゲーション装置２に送るように構成することもできる。これにより、家庭で見た番組を施設検索の対象とすることができる。
【００７０】
また、地方によっては、キー局と呼ばれる東京を中心とする放送局で放送された日時と異なる場合があるが、別途用意される補正情報（例えば、曜日の差分が記載されている）を使用して、図１５に示すような施設情報に含まれる放送年月日を補正するように構成することもできる。
【００７１】
また、視聴履歴でフィルタリングする場合は、ユーザが実際に視聴した番組でなく、カーナビゲーション装置２から、最も多く視聴された番組名をデジタル放送受信装置１に要求し、デジタル放送受信装置１が視聴履歴情報の中から視聴回数が一番多い番組名を返すように構成し、その番組名を使って、カーナビゲーション装置２で施設検索するように構成する。
【００７２】
さらに、上述した実施の形態３では、視聴履歴を蓄積することにより、ユーザが実際に視聴した番組で紹介された施設を検索するように構成したが、視聴率やランキングによってフィルタリングするように構成できる。すなわち、ビデオリサーチが調査して発表している視聴率や、施設の評判や評論家等によって作成されて発表されている店舗のランキング情報（例えば、三つ星など）をネットワーク接続等によって取得し、この取得した情報によって、視聴率が高い施設またはランキングが上位の施設の施設情報を優先的に出力するように構成することもできる。この構成によれば、視聴率の高かった番組で紹介された施設を優先的に検索することが可能となる。また、番組で紹介された施設かつ、評価の高い施設を検索することが可能となる。
【００７３】
実施の形態４．
この実施の形態４は、カーナビゲーション装置２を搭載している車両の位置、現在時刻およびルート情報を用いて施設情報をフィルタリングし、実際にユーザが利用する可能性の高い施設のみ抜き出すようにしたものである。
【００７４】
図１６は、実施の形態４に係る、カーナビゲーション装置２によって構成される施設検索装置の機能的な構成を示すブロック図である。この施設検索装置は、図４に示した実施の形態１の施設検索装置に、車両位置検出部４６、ループ探索部４７、施設情報抽出部４８および時刻取得部４９が追加されて構成されている。
【００７５】
車両位置検出部４６は、図示しないＧＰＳアンテナによって衛星軌道上にある複数のＧＰＳ衛星から送信されるＧＰＳ信号を受信し、車両の現在位置（緯度、経度および高度）を求める。この車両位置検出部４６で求められた車両の現在位置を表す現在位置情報は、施設情報抽出部４８に送られる。この現在位置情報を用いて、車両位置に応じた施設情報のフィルタリングが行われる。施設情報抽出部４８は、車両位置検出部４６で算出された車両位置と施設情報検索部４４により検索された複数の施設情報の位置情報（緯度・経度）との距離を算出し、所定の閾値以下の施設情報のみ表示部４５に送る。なお、現在位置の算出方法については、例えば特開平３−２０２０６５号公報や特開平９−２３６６５０号公報に開示されている、複数個のＧＰＳ衛星との位置と距離から現在位置情報を算出する位置検出装置に詳しく説明されているので、必要に応じて参照されたい。
【００７６】
ルート探索部４７は、施設情報蓄積部４３に形成されている施設データベースを参照し、施設検索により得られた施設が、図示しないルート探索部によって探索されたルート沿いにあるかどうかを判定する。このルート探索部４７における判定結果は、施設情報抽出部４８に送られる。これにより、探索されたルートに応じた施設情報のフィルタリングが行われる。
【００７７】
ここで、施設検索された施設情報が、ルート沿いにあるかどうかを判定する方法を、図１７を参照しながら説明する。カーナビゲーション装置２において、地図データが所定のサイズの矩形で区切られているものとし、探索されたルートを含む矩形（図１７の斜線を付した部分）がルート沿いの地図データとして扱われる。施設情報抽出部４８は、施設検索によって検索された施設がルート沿いの地図データに含まれるかどうかを全ての矩形についてチェックし、ルート沿いの地図データに含まれる施設情報のみを表示部４５に送る。
【００７８】
時刻取得部４９は、図示しない時計機構から現在時刻を取得し、現在時刻情報として施設情報抽出部４８に送る。この現在時刻情報を用いて、現在時刻に応じた施設情報のフィルタリング、つまり現在時刻情報によって示される時刻から所定時間内に利用できる施設の施設情報のみが抽出される。すなわち、施設情報抽出部４８は、時刻取得部４９で取得された現在時刻から計算した到着予定時刻が、施設情報検索部４４によって検索された複数の施設情報に含まれる施設の利用可能時間内（営業時間内）であるかどうかを調べ、利用可能時間内である施設情報のみを表示部４５に送る。
【００７９】
なお、上述した車両位置検出部４６で検出された現在位置情報を用いて施設情報をフィルタリングするときは、施設情報抽出部４８は、時刻取得部４９によって取得された現在時刻に利用可能である施設情報のみを抽出し、ルート探索部４７によって得られたルート沿いであるかどうかによって施設情報をフィルタリングするときは、時刻取得部４９によって取得された現在時刻に基づき各矩形の通過予想時刻を計算し、この計算により得られた通過予想時刻に利用可能である施設情報のみを抽出するように構成できる。この構成により、ユーザは、営業中の施設のみを選択することができる。
【００８０】
また、上述した実施の形態４では、車両位置検出部４６で検出された現在位置情報を施設情報抽出部４８に送り、施設情報抽出部４８は、この現在位置情報を用いて施設情報検索部４４で検索された施設情報をフィルタリングするように構成したが、車両位置検出部４６で検出された現在位置情報を施設情報検索部４４に送り、施設情報検索部４４は、車両位置検出部４６で検出された現在位置に応じて、つまり現在位置から所定範囲の施設情報のみを検索するように構成することもできる。
【００８１】
同様に、上述した実施の形態４では、時刻取得部４９で取得された現在時刻情報を施設情報抽出部４８に送り、施設情報抽出部４８は、この現在時刻情報を用いて施設情報検索部４４で検索された施設情報をフィルタリングするように構成したが、時刻取得部４９で取得された現在時刻情報を施設情報検索部４４に送り、施設情報検索部４４は、時刻取得部４９で取得された現在時刻情報に応じて、つまり時刻取得部で取得された時刻から所定時間内に利用できる施設の施設情報のみを検索するように構成することもできる。
【００８２】
さらに、上述した実施の形態４では、ルート探索部４７で探索されたルート情報を施設情報抽出部４８に送り、施設情報抽出部４８は、このルート情報を用いて施設情報検索部４４で検索された施設情報をフィルタリングするように構成したが、ルート探索部４７で探索されたルート情報を施設情報検索部４４に送り、施設情報検索部４４は、ルート情報に応じた施設情報、つまりルート情報によって示されるルートから所定範囲に存在する施設の施設情報のみを検索するように構成することもできる。
【００８３】
以上説明したように、この発明の実施の形態４によれば、自車位置周辺の施設に絞り込むことが可能であり、施設検索が容易になり、自車位置に応じて施設を推奨することも可能である。また、現在時刻で営業している施設を検索することが可能となる。さらに、目的地や経由地へのルートに応じて施設を検索することが可能となり、ルート沿いや目的地および／または経由地周辺で営業している時間等を考慮して施設を検索することが可能となる。
【００８４】
なお、上述した実施の形態４では、ユーザ主体で施設検索を行うようにしているが、現在視聴している番組、ユーザが良く視聴する番組または実際に視聴した番組で紹介された施設をシステム主導で検索して表示させるように構成できる。例えば、現在視聴している番組、ユーザが良く視聴する番組または実際に視聴した番組で紹介された施設をあらかじめ検索しておき、自車位置が更新される度に、あらかじめ検索しておいた施設の中から近傍の施設を抽出し、図１８に示すように、表示部４５の画面の一部に表示してユーザに提示するように構成できる。
【００８５】
実施の形態５．
上述した実施の形態１〜実施の形態４では、施設情報はあらかじめ施設情報蓄積部４３に記憶されている固定的な情報であるとしているが、実施の形態５では、施設情報を追加、変更といった更新をできるようにし、施設情報が更新される時に検索に用いられる番組キーワード情報（番組名）も更新するようにしたものである。
【００８６】
図１９は、実施の形態５に係る、カーナビゲーション装置２によって構成される施設検索装置の機能的な構成を示すブロック図である。この施設検索装置は、図４に示した実施の形態１に係る施設検索装置に、更新施設情報読出部５０および施設情報更新部５１が追加されて構成されている。なお、更新に使用する施設情報（「更新施設情報」と呼ぶ）は、図３のハードウェア構成を示すブロック図における外部記憶メデイア２５に格納されているものとする。
【００８７】
更新施設情報読出部５０は、外部記憶メディア２５から、外部記憶装置ドライブ２４および外部記憶装置インタフェース２６を介して、更新施設情報を読み出す処理を行う。図２０は、更新施設情報のフォーマットを示す図である。更新施設情報は、施設情報と、この施設情報が格納されるアドレスリストとのセットで記述されている。この更新施設情報読出部５０で読み出された更新施設情報は、施設情報更新部５１に送られる。
【００８８】
施設情報更新部５１は、更新施設情報読出部５０から送られてくる更新施設情報に基づき、施設情報蓄積部４３に形成されている施設データベースを更新する。図２１は、施設情報更新部５１において行われる施設情報更新処理を示すフローチャートである。施設情報更新処理では、まず、番組名フィールド値の読み出しが行われる（ステップＳＴ５１）。すなわち、更新施設情報読出部５０から送られてくる更新施設情報の中から番組名フィールドの情報が読み出される。
【００８９】
次いで、既存の施設データベースに番組名があるかどうかが調べられる（ステップＳＴ５２）。このステップＳＴ５２において、番組名があることが判断されると、次いで、番組名の下層のノードに同じ施設があるかどうかが調べられる（ステップＳＴ５３）。このステップＳＴ５３において、同じ施設があることが判断されると、既存の施設情報が更新される（ステップＳＴ５４）。
【００９０】
ステップＳＴ５３において、同じ施設がないことが判断されると、施設情報が新規ノードとして追加される（ステップＳＴ５６）。上記ステップＳＴ５２において、番組名がないことが判断されると、番組名が中間ノードとして追加される（ステップＳＴ５５）。その後、ステップＳＴ５６に進み、施設情報が新規ノードとして追加される。以上の処理は、追加または変更される更新施設情報の数分だけ行われる。
【００９１】
以上説明したように、この実施の形態５によれば、施設情報を更新した場合、新しい番組等の新しい番組キーワード情報も更新することで、新番組名等で施設を検索することが可能となる。
【００９２】
なお、図２１に示す施設情報更新処理において、更新する施設が既存の施設データベースに含まれる施設と同じであるかどうかは、店名、緯度および経度のフィールド値が一致するかどうかにより判定することができる。なお、経度および緯度については、完全に一致しなくても所定の範囲内であれば一致したと判定するように構成できる。
【００９３】
以上説明した実施の形態５では、更新施設情報は、ＤＶＤ−ＲＯＭ等のデバイスで配布されることを想定しているが、カーナビゲーション装置２に接続された携帯電話等の通信装置を用いて、インターネットに接続し、施設情報データサーバからダウンロードするように構成することができる。また、カーナビゲーション装置２に通信装置を接続できない場合であっても、例えば家庭内のパーソナルコンピュータや携帯電話を用いて施設情報をダウンロードし、コンパクトフラッシュ（登録商標）やＳＤカードなどのカードメディアを介したり、携帯電話から直接にＢｌｕｅｔｏｏｔｈやＦｅｌｉＣａのような無線通信でカーナビゲーション装置２に送るように構成することもできる。
【００９４】
さらに、この実施の形態５に係る施設検索装置は、図２２に示すように変形することができる。すなわち、施設情報更新部５１は、デジタル放送のデータ放送として施設情報が送信されてきた場合は、デジタル放送受信装置１からＤＴＶインタフェース部４１を介してその施設情報を受け取るとともに、番組キーワード抽出部４２から番組名（番組キーワード情報）を受け取り、番組キーワード抽出部４２から受け取った番組名に対応する、施設情報蓄積部４３に形成された施設データベースの施設情報を、ＤＴＶインタフェース部４１から受け取った施設情報で更新する。これにより、施設情報と番組情報とのリンクを自動的に更新することが可能になる。
【図面の簡単な説明】
【００９５】
【図１】この発明の施設検索装置が適用された施設検索システムの構成を示す図である。
【図２】図１に示すデジタル放送受信装置の構成を示すブロック図である。
【図３】図１に示すカーナビゲーション装置のハードウェア構成を示すブロック図である。
【図４】この発明の実施の形態１に係る施設検索装置の機能的な構成を示すブロック図である。
【図５】この発明の実施の形態１に係る施設検索装置で行われる番組キーワード情報抽出処理を示すフローチャートである。
【図６】この発明の実施の形態１に係る施設検索装置の施設情報蓄積部に記憶される施設データベースの構造を示す図である。
【図７】この発明の実施の形態１に係る施設検索装置で行われる施設情報検索処理を示すフローチャートである。
【図８】この発明の実施の形態２に係る施設検索装置に接続されるデジタル放送受信装置が受信するデジタル放送で提供される番組表の一例を示す図である。
【図９】この発明の実施の形態２に係る施設検索装置に接続されるデジタル放送受信装置が受信するデジタル放送で提供される番組検索メニューの一例を示す図である。
【図１０】この発明の実施の形態２に係る施設検索装置におけるカーナビゲーション装置およびデジタル放送受信装置の動作を示すシーケンス図である。
【図１１】この発明の実施の形態２に係る施設検索装置におけるカーナビゲーション装置およびデジタル放送受信装置の動作を説明するための画面遷移図である。
【図１２】この発明の実施の形態３に係る施設検索装置に接続されるデジタル放送受信装置１の構成を示すブロック図である。
【図１３】この発明の実施の形態３に係る施設検索装置で使用される視聴履歴情報のフォーマットを示す図である。
【図１４】この発明の実施の形態３に係る施設検索装置においてデジタル放送受信装置からカーナビゲーション装置に送られる視聴履歴情報の構成を示す図である。
【図１５】この発明の実施の形態３に係る施設検索装置において施設情報蓄積部に形成された施設データベースに蓄積される施設情報の構成を示す図である。
【図１６】この発明の実施の形態４に係る施設検索装置の機能的な構成を示すブロック図である。
【図１７】この発明の実施の形態４に係る施設検索装置における施設検索により得られた施設情報がルート沿いかどうかを判定する方法を説明するための図である。
【図１８】この発明の実施の形態４に係る施設検索装置においてシステム主導の施設検索により得られた施設情報を画面に表示する例を示す図である。
【図１９】この発明の実施の形態５に係る施設検索装置の機能的な構成を示すブロック図である。
【図２０】この発明の実施の形態５に係る施設検索装置で使用される更新施設情報のフォーマットを示す図である。
【図２１】この発明の実施の形態５に係る施設検索装置の施設情報更新部５１で実行される施設情報更新処理を示すフローチャートである。
【図２２】この発明の実施の形態５に係る施設検索装置の変形例の機能的な構成を示すブロック図である。
【符号の説明】
【００９６】
１  デジタル放送受信装置、２  カーナビゲーション装置（施設検索装置）、３  シリアルケーブル、１１  アンテナ部、１２  チューナ部、１３  デコーダ部、１４  映像出力部、１５  音声出力部、１６  入力部、１７  中央制御部、１８  メニュー生成部、１９  カーナビインタフェース部、２０  視聴履歴蓄積部、２１  ＲＯＭ、２２  ＣＰＵ、２３  ＲＡＭ、２４  外部記憶装置ドライブ、２５  外部記憶メディア、２６  外部記憶装置インタフェース、２７  ディスプレイ、２８  グラフィック制御回路、２９  ユーザ操作部、３０  操作部インタフェース、３１  周辺機器、３２  周辺機器インタフェース、４１  ＤＴＶインタフェース部（番組情報取得部）、４２  番組キーワード抽出部、４３  施設情報蓄積部、４４  施設情報検索部、４５  表示部、４６  車両位置検出部、４７  ルート探索部、４８  施設情報抽出部、４９  時刻取得部、５０  更新施設情報読出部、５１  施設情報更新部。
【図１】
2007178212.tif 000003
【図２】
2007178212.tif 000004
【図３】
2007178212.tif 000005
【図４】
2007178212.tif 000006
【図５】
2007178212.tif 000007
【図６】
2007178212.tif 000008
【図７】
2007178212.tif 000009
【図８】
2007178212.tif 000010
【図９】
2007178212.tif 000011
【図１０】
2007178212.tif 000012
【図１１】
2007178212.tif 000013
【図１２】
2007178212.tif 000014
【図１３】
2007178212.tif 000015
【図１４】
2007178212.tif 000016
【図１５】
2007178212.tif 000017
【図１６】
2007178212.tif 000018
【図１７】
2007178212.tif 000019
【図１８】
2007178212.tif 000020
【図１９】
2007178212.tif 000021
【図２０】
2007178212.tif 000022
【図２１】
2007178212.tif 000023
【図２２】
2007178212.tif 000024